(57)【要約】【課題】シール部材の良好な装着状態を得る。【解決手段】リール本体１と、リール本体１に設けられ、釣糸が巻回されるスプール３を支持するスプール軸９と、スプール軸９が前後動可能に挿通され、ロータ２が固定されるピニオン８と、ピニオン８に螺合されることで、ピニオン８にロータ２を固定するナット２０と、ピニオン８の先端部に配置され、スプール軸９の周面に接触するリップ部３３が設けられたシール部材３０と、を備え、ナット２０は、シール部材３０に係合する係合部２３を備えており、係合部２３は、ナット２０がピニオン８に螺合されることによりシール部材３０に係合して、シール部材３０の抜け方向の移動を規制する構成とした。【選択図】図２
2014124173.tif 000002
【特許請求の範囲】
【請求項１】
リール本体と、
リール本体に設けられ、釣糸が巻回されるスプールを支持するスプール軸と、
前記スプール軸が前後動可能に挿通され、ロータが固定されるピニオンと、
前記ピニオンに螺合されることで、前記ピニオンに前記ロータを固定するナットと、
前記ピニオンの先端部に配置され、前記スプール軸の周面に接触するリップ部が設けられたシール部材と、を備え、
前記ナットは、前記シール部材に係合する係合部を備えており、
前記係合部は、前記ナットが前記ピニオンに螺合されることにより前記シール部材に係合して、前記シール部材の抜け方向の移動を規制することを特徴とする魚釣用スピニングリール。
【請求項２】
前記シール部材は前記ピニオンの先端部の周りに装着される装着部を備え、前記装着部に前記係合部が係合することを特徴とする請求項１に記載の魚釣用スピニングリール。
【請求項３】
前記リップ部は、前記リール本体の内方へ向けて凹状に膨出していることを特徴とする請求項１または請求項２に記載の魚釣用スピニングリール。
【請求項４】
前記ナットの雌ねじ部の内径は、前記シール部材の最大外径よりも大きいことを特徴とする請求項１から請求項３のいずれか１項に記載の魚釣用スピニングリール。
【発明の詳細な説明】
【技術分野】
【０００１】
本発明は、魚釣用スピニングリールに関する。
【背景技術】
【０００２】
一般に、魚釣用スピニングリールは、リール本体と、リール本体に取り付けられて釣糸が巻回されるスプールと、リ−ル本体に回転自在に支持されたハンドルとを備え、ハンドルの回転操作でスプ−ルに釣糸を巻回する構成となっている。ハンドルの回転運動は、リール本体内に設けられたオシレーティング機構によりスプール軸の前後方向の往復動に変換されるとともに、スプールに釣糸を巻回保持するロータの回転運動に変換される。
ここで、スプ−ル軸は、ロ−タを支持するピニオン内に挿通され、その内周面に摺接して前後動するものであるため、摩擦抵抗を緩和すべくスプール軸とピニオンとの間には、若干のクリアランス（隙間）が形成されている。
【０００３】
従来、このようなクリアランスを通じ、海水、水、ゴミなどの異物がリ−ル本体内に浸入するのを防止するようにした技術として、ピニオンとスプール軸との間にシール部材を配設したものが知られている（例えば特許文献１参照）。
【先行技術文献】
【特許文献】
【０００４】
【特許文献１】特許第３５０２２９１号公報
【発明の概要】
【発明が解決しようとする課題】
【０００５】
前記特許文献１では、シール部材を配設することにより、海水、水、異物等の浸入を防止しているが、ピニオンの先端部にシール部材を嵌着して固定しているので、接触部の摩擦抵抗の増大、シール部材の経時劣化、誤組等の影響により、シール部材の装着状態が変化したり、脱落したりする可能性があり、安定したシール性が得られない課題がある。
【０００６】
本発明は、前記課題を解決するためになされたものであり、シール部材の良好な装着状態を得ることができる魚釣用スピニングリールを提供することを目的とする。
【課題を解決するための手段】
【０００７】
前記目的を達成するために本発明の魚釣用スピニングリールは、リール本体と、リール本体に設けられ、釣糸が巻回されるスプールを支持するスプール軸と、前記スプール軸が前後動可能に挿通され、ロータが固定されるピニオンと、前記ピニオンに螺合されることで、前記ピニオンに前記ロータを固定するナットと、前記ピニオンの先端部に配置され、前記スプール軸の周面に接触するリップ部が設けられたシール部材と、を備え、前記ナットは、前記シール部材に係合する係合部を備えており、前記係合部は、前記ナットが前記ピニオンに螺合されることにより前記シール部材に係合して、前記シール部材の抜け方向の移動を規制することを特徴とする。
【０００８】
この魚釣用スピニングリールによれば、ナットをピニオンに螺合してピニオンにロータを固定すると、ナットの係合部がシール部材に係合し、シール部材は、抜け方向の移動が規制される状態にピニオンの先端部に抜け止め保持される。
【０００９】
また、本発明は、「前記シール部材は前記ピニオンの先端部の周りに装着される装着部を備え、前記装着部に前記係合部が係合する」ことを特徴とする。
【００１０】
この魚釣用スピニングリールによれば、ピニオンの先端部の周りに装着される装着部を係合部によって直接抜け止め保持することができる。
【００１１】
また、本発明は、「前記リップ部は、前記リール本体の内方へ向けて凹状に膨出している」ことを特徴とする。
ここで、前記「膨出」には、リール本体の内方へ向けて凹状に湾曲する形状のもの、リール本体の内方へ向けて凹状に屈曲する形状のもの、リール本体の内方へ向けて部分的に凹状に張り出す形状のものが含まれる。
【００１２】
この魚釣用スピニングリールによれば、凹状に膨出された面でリール本体内に向けて浸入しようとする海水、水、異物等を受けとめることができる。つまり、リップ部の先端部が軸方向の外方（リール本体の外方）に向かってスプール軸の周面に弾接して密着する。
【００１３】
また、本発明は、「前記ナットの雌ねじ部の内径は、前記シール部材の最大外径よりも大きい」ことを特徴とする。
【００１４】
この魚釣用スピニングリールによれば、組付時において、シール部材をピニオンの先端部に配置しておいてから、ナットをピニオンに螺合してピニオンにロータを固定するという固定手法を採ることができる。
【発明の効果】
【００１５】
本発明によれば、ナットの螺合によってナットの係合部がシール部材に係合し、シール部材の抜け方向の移動が規制された状態にシール部材が抜け止め保持されるようになっているので、ピニオンからシール部材が脱落するのを好適に防止することができ、シール部材の良好な装着状態を得ることができる。
したがって、仮に、使用経過に伴うスプール軸の表面の油膜切れ等による摩擦抵抗の増加や、シール部材の経時劣化等が生じた場合にも、ピニオンからシール部材が脱落するのを好適に防止することができ、シール性を維持することができる。したがって、長期間にわたって安定したスプール軸の往復動やピニオンのスムーズな回転を維持することができ、耐久性に優れ、信頼性に優れた魚釣用スピニングリールが得られる。
【００１６】
また、ピニオンの先端部の周りに装着される装着部を備え、装着部に係合部が係合する構成では、装着部に係合部が係合して装着部が直接的に抜け止め保持されるので、ピニオンからシール部材が脱落するのをより好適に防止することができ、シール部材の良好な装着状態を得ることができる。
【００１７】
また、リップ部がリール本体の内方へ向けて凹状に膨出している構成では、凹状に膨出された面でリール本体内に向けて浸入しようとする海水等を受けとめることができるので、リール本体内へ海水、水、塵埃等が浸入するのをより好適に阻止することができ、高い防水防塵性能を確保することができる。したがって、より一層、耐久性、信頼性の向上を図ることができる魚釣用スピニングリールが得られる。
また、スプール軸の周面にシール部材のリップ部が弾接するので、防水防塵性能を安定化することができる。
【００１８】
また、ナットの内径がシール部材の最大外径よりも大きい構成では、組付時において、シール部材をピニオンの先端部に配置しておいてから、ナットをピニオンに螺合してピニオンにロータを固定するという固定手法を採ることができるので、組付時の作業が行い易く組付固定性に優れる。このことは、生産性の向上、コストの低減に寄与する。
【図面の簡単な説明】
【００１９】
【図１】本発明の第１実施形態に係る魚釣用スピニングリールの全体構成を示す図である。
【図２】（ａ）はシールされる部分の拡大断面図、（ｂ）はシール部材の拡大断面図、（ｃ）はスプール軸、シール部材、ナットの分解断面図、（ｄ）は組付状態を示す断面図である。
【図３】本発明の第２実施形態に係る魚釣用スピニングリールを示す図であり、（ａ）はシールされる部分の拡大断面図、（ｂ）はシール部材の拡大断面図、（ｃ）はスプール軸、シール部材、ナットの分解断面図、（ｄ）は組付状態を示す断面図である。
【図４】本発明の第３実施形態に係る魚釣用スピニングリールを示す図であり、（ａ）はシールされる部分の拡大断面図、（ｂ）はシール部材の拡大断面図、（ｃ）はスプール軸、シール部材、ナットの分解断面図、（ｄ）は組付状態を示す断面図である。
【図５】本発明の第４実施形態に係る魚釣用スピニングリールを示す図であり、（ａ）はシールされる部分の拡大断面図、（ｂ）はシール部材の拡大断面図、（ｃ）はスプール軸、シール部材、ナットの分解断面図、（ｄ）は組付状態を示す断面図である。
【発明を実施するための形態】
【００２０】
以下、本発明に係る魚釣用スピニングリールの実施形態について図面を参照しながら説明する。なお、以下の説明において、「前後」「上下」を言うときは、図１に示した方向を基準とする。また、各実施形態において、同様の部分には同一の符号を付し重複した説明は省略する。
【００２１】
（第１実施形態）
図１に示すように、本実施形態の魚釣用スピニングリールは、図示しない釣竿に装着するための脚部１ａが形成されたリール本体１と、リール本体１の前方に回転可能に設けられたロータ２と、ロータ２の回転運動と同期して前後方向に往復動可能に設けられたスプール３とを備えている。
【００２２】
図１に示すように、リール本体１には、図示しない軸受を介してハンドル軸４が回転可能に支持されており、その突出端部には、巻き取り操作されるハンドル５が取り付けられている。
ハンドル軸４には、ロータ２を巻き取り駆動するための図示しない内歯が形成された駆動機構を構成するドライブギャ６が一体的に固定されている。なお、ドライブギャ６は、ハンドル軸４に一体形成されていてもよい。
【００２３】
ドライブギャ６には、ピニオン８のピニオンギャ８ａが噛合している。ピニオン８は、ハンドル軸４と直交する方向に延出しており、その前端部において、ナット２０を介してロータ２がピニオン８に取り付けられている。ピニオン８の先端部にはシール部材３０が装着されており、シール部材３０は、ナット２０によって抜け止め保持されている。ナット２０およびシール部材３０の構成の詳細は後記する。
【００２４】
ピニオン８には、その中間部分に転がり式の一方向クラッチ８ｆが取り付けられており、ハンドル５（ロータ２）の逆転方向の回転（釣糸放出方向の回転）が防止されるようになっている。
ピニオン８は、内部に軸方向に延出する空洞部を有しており、この空洞部には、スプール３を支持するスプール軸９が挿通されている。スプール軸９の後端には、公知のオシレーティング機構１０が係合されている。
【００２５】
オシレーティング機構１０は、スプール軸９と平行に延出するウォームシャフト１０ａと、このウォームシャフト１０ａの外周面に形成された螺旋溝１０ｂに係合する係合ピン１０ｃを有してスプール軸９の後端部にねじ止めして取り付けられた摺動体１０ｄと、リール本体１の内壁に設けられて摺動体１０ｄと係合し、摺動体１０ｄの往復動を案内するガイド１０ｅと、を含んで構成される。
スプール軸９は、このようなオシレーティング機構１０により、ハンドル５の巻き取り操作に伴って前後方向に往復駆動（進退動）される。
【００２６】
ロータ２は、スプール３のスカート部３ａ内に位置する円筒部２ａと、一対のアーム部２ｂ（図１では一方のみ図示）を具備している。各アーム部２ｂの前端部には、ベール支持部材２ｃが釣糸巻取位置と釣糸放出位置との間で回動自在に支持されており、これらのベール支持部材２ｃ間には、放出状態にある図示しない釣糸をピックアップするためのベール２ｄが配設されている。ベール２ｄは、一方の基端部がベール支持部材２ｃに一体的に設けられた釣糸案内部２ｅに取り付けられており、他方の基端部がベール支持部材２ｃの先端部に取り付けられている。
【００２７】
スプール３は、スカート部３ａと前側フランジ３ｂとの間に図示しない釣糸が巻回される釣糸巻回胴部３ｃを備えており、スプール軸９に図示しないドラグ機構を介して摩擦結合され、ノブ３ｄを回動操作することでスプール３のドラグ力が調節される。なお、ドラグ機構は必ずしも設けなくてもよい。
【００２８】
このような構成において、ハンドル５を巻き取り操作すると、ハンドル軸４、ドライブギャ６、およびピニオンギャ８ａを介してロータ２が回転駆動されるとともに、スプール３がオシレーティング機構１０を介して前後方向に往復駆動され、釣糸が、釣糸案内部２ｅ（ベール２ｄ）を介してスプール３（釣糸巻回胴部３ｃ）に均等に巻き付けられる。
なお、釣糸を放出する場合には、ベール支持部材２ｃを、図１に示す釣糸巻取位置から図示しない釣糸放出位置に反転操作し、釣糸を釣糸案内部２ｅから外すとともに図示しない釣竿を振り下ろす操作を行う。これにより、スプール３から釣糸が放出される。
【００２９】
次に、ナット２０およびシール部材３０の構成について図２各図を参照して具体的に説明する。
ナット２０は、図２（ａ）〜（ｄ）に示すように、段付き筒状を呈しており、ナット本体２２と、ナット本体２２から一体的に突出する円環状の係合部２３と、を備えている。ナット本体２２には、ピニオン８の先端外周面に形成された雄ねじ部８１（図２（ａ）参照）に螺合可能な雌ねじ２１が形成されている。なお、ナット本体２２に対向するようにして、ロータ２の前部には、図２（ａ）に示すように、凹部２ｆが形成されており、ナット本体２２は、その後部２２ａが凹部２ｆ内に収容されるようにしてロータ２を締め付けるようになっている。このようにナット２０の後部２２ａが凹部２ｆ内に収容されるようになっているので、その分、ナット２０は、前方への突出が抑えられたものとなっている。
【００３０】
係合部２３は、図２（ａ）（ｂ）に示すように、断面鉤形形状とされており、ナット本体２２の孔縁から前方へ向けて突出形成された周壁部２３ａと、周壁部２３ａの先端から径方向内側に折り返された折返し部２３ｂと、を有している。周壁部２３ａと折返し部２３ｂとの内側には、図２（ｂ）に示すように、係合スペースＳ１が形成されている。この係合スペースＳ１には、シール部材３０の後記する鍔部３１ａが係合される。
【００３１】
シール部材３０は、図２（ａ）に示すように、ピニオン８の先端部８ｂとスプール軸９との間をシールする役割をなし、図２（ｂ）に示すように、ピニオン８の先端部８ｂに設けられた小径部８ｃに装着される装着部３１と、ピニオン８の前方へ向けて装着部３１から延出される延出部３２と、延出部３２からスプール軸９に向けて延設されるリップ部３３と、を備えており、弾力性を有している。
シール部材３０の材料としては、例えば、ニトリルゴム（ＮＢＲ）、シリコーンゴム、アクリルゴム、スチレンブタジエンゴム（ＳＢＲ）、ウレタンゴム、およびブタジエンゴム等の合成ゴム、または天然ゴム等のゴム系材料のいずれかを用いることができる。
【００３２】
装着部３１の基端部には、径方向外側に突出する鍔部３１ａが一体的に形成されている。鍔部３１ａは、ナット２０の係合スペースＳ１に係合される（収容される）大きさに形成されている。
ここで、ナット２０をピニオン８に螺合して締め付けると、係合部２３の折返し部２３ｂの内面２３ｂ１が鍔部３１ａの前面３１ａ１に対向して配置され、また、係合部２３の周壁部２３ａの内面２３ａ１が鍔部３１ａの周面３１ａ２に対向して配置され、さらに、ピニオン８の雄ねじ部８１と小径部８ｃとの間に形成された段差面８ｄに、鍔部３１ａの後面３１ａ３の一部が対向して配置される。つまり、鍔部３１ａは、その三面（周り）がナット２０の内面２３ｂ１，２３ａ１およびピニオン８の段差面８ｄに囲われた状態で収容されることとなる。
特に、鍔部３１ａの前面３１ａ１は、係合部２３の折返し部２３ｂの内側に位置してその内面２３ｂ１に対向して配置されるので、折返し部２３ｂの内面２３ｂ１が、シール部材３０の抜け止め防止用の壁として機能することとなる。
なお、図２（ｂ）において、各対向部の間には、部品公差等を考慮した隙間を形成したものを示したが、各隙間は必ずしも設けなくてもよく、ナット２０の螺合時における当接でスプール軸９に対するリップ部３３の弾接が損なわれるような変形が生じない範囲で各対向部同士が当接（圧接）するように構成してもよい。
【００３３】
装着部３１は、ピニオン８の小径部８ｃの外周面に密着する状態に装着されるようになっており、これによって小径部８ｃに対するシール部材３０の位置ずれが防止されている。
延出部３２は、装着部３１に連続して設けられており、スプール軸９の軸方向に沿ってピニオン８の前方へ延出している。
【００３４】
リップ部３３は、図２（ｂ）に示すように、スプール軸９の軸方向に沿ってリール本体１の内方（後方）へ向けて凹状に湾曲（膨出）している。リップ部３３の先端部３３ｂ１は、略球状とされており、リップ部３３の弾力性によりスプール軸９の周面に弾接するようになっている。これにより、スプール軸９に対するリップ部３３の追従性が高められている。
ここで、リップ部３３は、スプール軸９の軸線を法線とする面のうち、先端部３３ｂ１の接触点（作用点Ｂ２）を通る面を基準面Ｌ２としたときに、この基準面Ｌ２よりも後側に（リール本体１の内方に）向けて凹状に湾曲する形状とされている。本実施形態では、リップ部３３の少なくとも一部の外面（凹面）３３ｂ２が、基準面Ｌ２よりもリール本体１の内方（後方）に位置しており、リール本体１の内方（後方）へ向けて湾曲状に凹んだ形状とされている。なお、本実施形態では、基準面Ｌ２上に、リップ部３３の支点となる延出部３２とリップ部３３との角部Ａ３が位置している。つまり、リップ部３３の少なくとも一部の外面（凹面）３３ｂ２が、作用点Ｂ２と角部Ａ３（支点）とを結ぶ直線（基準面Ｌ２）よりもリール本体１の内方（後方）に位置している。
【００３５】
また、リップ部３３の肉厚ｔ１２は、装着部３１の鍔部３１ａの肉厚ｔ０１や装着部３１（延出部３２）の肉厚ｔ１１よりも、全体的に薄肉に形成されている。
【００３６】
また、リップ部３３は、ピニオン８の先端面８４との間に隙間Ｓ３を有して配置されている。なお、先端面８４の側方は、面取り（傾斜面８５，８６）されており、隙間Ｓ３が好適に確保されている。これにより、シール部材３０（リップ部３３）の追従性が高められている。
特に、スプール軸９はリール本体１の前後方向に往復動する部材であり、かつピニオン８は、スプール軸９周りに回転する部材であるので、これら２つの異なる動作に対してリップ部３３を好適に追従させてスプール軸９に弾接させることができる。
つまり、シール部材３０Ａは、前記隙間Ｓ３を有する分、柔軟に変形することが可能であり、延出部３２およびリップ部３３の有する弾力性を利用しつつ、延出部３２とリップ部３３との角部Ａ３等を支点として、リップ部３３がスプール軸９の周面に弾接可能である。
【００３７】
なお、リップ部３３をピニオン８の先端部（先端面８４）に当接させて配置してもよい。このように配置することにより、ピニオン８に対するシール部材３０Ａの取付面積（接触面積）を大きくすることができ、シール部材３０Ａの取付安定化を図ることができる。
【００３８】
次に、ナット２０およびシール部材３０の組み付けについて説明する。
はじめに、シール部材３０の弾力性を利用して、ナット２０の前方からナット２０の開口を通じて内側の係合スペースＳ１にシール部材３０の鍔部３１ａを嵌め込み、ナット２０の前部にシール部材３０を保持する。
【００３９】
その後、このようにシール部材３０が保持されたナット２０をピニオン８の先端部８ｂに近付け、先端部の雄ねじ部８１にナット２０の雌ねじ部２１を螺合する。そうすると、ナット２０の螺合に伴って、ピニオン８の小径部８ｃにシール部材３０の装着部３１の後端部が掛かり、その後、さらにナット２０を螺合することにより、係合部２３を通じてシール部材３０を小径部８ｃに装着させる方向の力が作用する。これにより、ナット２０の螺合に伴って小径部８ｃに装着部３１が装着され、ピニオン８にナット２０が締め付けられることとなる。
【００４０】
したがって、ナット２０を締め付けるという簡単な作業で、ナット２０に保持されたシール部材３０をピニオン８の先端部８ｂに簡単に配置することができる。
【００４１】
以上説明した本実施形態の魚釣用スピニングリールによれば、ナット２０の螺合によってナット２０の係合部２３がシール部材３０に係合し、シール部材３０の抜け方向の移動が規制された状態にシール部材３０が抜け止め保持されるようになっているので、ピニオン８からシール部材３０が脱落するのを好適に防止することができ、シール部材３０の良好な装着状態を得ることができる。
したがって、仮に、使用経過に伴うスプール軸９の表面の油膜切れ等による摩擦抵抗の増加や、シール部材３０の経時劣化等が生じた場合にも、ピニオン８からシール部材３０が脱落するのを好適に防止することができ、シール性を維持することができる。したがって、長期間にわたって安定したスプール軸９の往復動やピニオン８のスムーズな回転を維持することができ、耐久性に優れ、信頼性に優れた魚釣用スピニングリールが得られる。
【００４２】
また、装着部３１に係合部２３が係合して装着部３１が直接的に抜け止め保持されるので、ピニオン８からシール部材３０が脱落するのをより好適に防止することができ、シール部材３０の良好な装着状態を得ることができる。
【００４３】
また、リップ部３３が、リール本体１の内方へ向けて凹状に湾曲しているので、凹状に湾曲された外面３３ｂ２でリール本体１内に向けて浸入しようとする海水等を受けとめることができ、リール本体１内へ海水、水、塵埃等が浸入するのをより好適に阻止することができる。したがって、高い防水防塵性能を確保することができる。したがって、より一層、耐久性、信頼性の向上を図ることができる魚釣用スピニングリールが得られる。
また、スプール軸９の周面にシール部材３０のリップ部３３（先端部３３ｂ１）が弾接するので、防水防塵性能を安定化することができる。
【００４４】
（第２実施形態）
図３各図を参照して第２実施形態の魚釣用スピニングリールについて説明する。
本実施形態が前記第１実施形態と異なるところは、ナット２０の雌ねじ部２１の内径Ｄ１がシール部材３０Ａの最大外径となる鍔部３１ａの外径Ｄ２よりも大きく形成されている（Ｄ１＞Ｄ２の関係にある）点である。
【００４５】
本実施形態では、鍔部３１ａの径方向外側に向けた突出量が、第１実施形態のものに比べて小さくされており、これによって、前記したＤ１＞Ｄ２の関係を構成している。
なお、相対的にナット２０の雄ねじ部２１の内径Ｄ１をより大きく形成することによって、前記関係を構成してもよい。
【００４６】
また、本実施形態では、シール部材３０Ａの装着部３１が装着されるピニオン８の小径部８ｃの外径を第１実施形態のものよりも小さく形成して、シール部材３０Ａの小型化を図っている。
これに伴い、リップ部３３の短縮化を図っており、スプール軸９の軸線を法線とする面のうち、延出部３２とリップ部３３との角部Ａ３を通る面を基準面Ｌ３としたときに、リップ部３３の少なくとも一部の外面３３ｂ２および先端部３３ｂ１が、この基準面Ｌ３よりも後側に（リール本体１の内方に）位置するように構成してある。これにより、リップ部３３の湾曲形状を確保しつつ、スプール軸９に対するリップ部３３の好適な弾接（摺接）を確保している。
【００４７】
本実施形態によれば、前記第１実施形態で説明した作用効果と同様の作用効果が得られるとともに、前記したように、ナット２０の雌ねじ部２１の内径Ｄ１と鍔部３１ａの外径Ｄ２とがＤ１＞Ｄ２の関係となっているので、組付時には、シール部材３０Ａをピニオン８の小径部８ｃに先に装着配置しておいてから、ナット２０をピニオン８に螺合してこれを締め付け、ピニオン８にロータ２を固定するという固定手法を採ることができる。
すなわち、小径部８ｃにシール部材３０Ａを装着したままナット２０をピニオン８に螺合することができるので、組付時の作業が行い易く組付固定性に優れる。このことは、生産性の向上、コストの低減に寄与する。
【００４８】
（第３実施形態）
図４各図を参照して第３実施形態の魚釣用スピニングリールについて説明する。
本実施形態が前記第１，第２実施形態と異なるところは、シール部材３０Ｂの装着部３１にテーパー状の傾斜面３１ｂを形成し、この傾斜面３１ｂに当接する係合部としてナット２０の対向部にテーパー状の傾斜当接面２３ｃを形成した点である。
【００４９】
装着部３１の傾斜面３１ｂは、装着部３１の前部（延出部３２の略後部）から装着部３１の後端へ向けて漸次拡径する面とされており、これによって装着部３１の後端部は、装着部３１の前部の肉厚ｔ１１よりも厚くされた肉厚ｔ０２となっている。
一方、ナット２０の傾斜当接面２３ｃは、折返し部２３ｂの内周面に部分的に形成されており、装着部３１の傾斜面３１ｂに対応して、折返し部２３ｂの内面後端へ向けて漸次拡径する内面とされている。
なお、傾斜当接面２３ｃは、装着部３１の傾斜面３１ｂの大きさ等に対応して、折返し部２３ｂの内周面の略全体に形成してもよい。
また、リップ部３３の肉厚ｔ１２は、装着部３１の前部の肉厚ｔ１１、および装着部３１の後端部の肉厚ｔ０２よりも全体的に薄肉とされている。
【００５０】
本実施形態によれば、組付時においてピニオン８にナット２０を螺合すると、装着部３１の傾斜面３１ｂとナット２０の傾斜当接面２３ｃとが当接して、ナット２０にシール部材３０Ｂが抜け止め保持される。したがって、ピニオン８からシール部材３０Ｂが脱落するのを好適に防止することができ、シール部材３０Ｂの良好な装着状態を得ることができる。
なお、第２実施形態と同様の関係となるように、ナット２０の雌ねじ部２１の内径を装着部３１の後端部の外径（傾斜面３１ｂの後端部の外径）よりも大きく形成して、組付時に、シール部材３０Ｂをピニオン８の小径部８ｃに先に装着配置しておいてから、ナット２０をピニオン８に螺合してピニオン８にロータ２を固定するように構成してもよい。
【００５１】
（第４実施形態）
図５各図を参照して第４実施形態の魚釣用スピニングリールについて説明する。
本実施形態が前記第１〜第３実施形態と異なるところは、ピニオン８の先端部８ｂの前側にシール部材３０Ｃを直接配置し、ナット２０により先端部８ｂの前側にシール部材３０Ｃを抜け止め保持した点である。
【００５２】
ピニオン８は、先端部８ｂに前記第１〜第３実施形態で説明した小径部８ｃを有しておらず、ナット２０との間にシール部材３０Ｃを配置可能な切り立った前面８ｅを有している。
図５（ａ）に示すように、この実施形態においてもシール部材３０Ｃは、ピニオン８の先端部８ｂとスプール軸９との間をシールする役割をなし、図５（ｂ）に示すように、ピニオン８の前面８ｅに配置される装着部３１と、装着部３１からスプール軸９に向けて延設されるリップ部３３と、を備えており、弾力性を有している。
【００５３】
装着部３１は、ナット２０をピニオン８に螺合して締め付けた状態で、その前面３１１が係合部２３の折返し部２３ｂの内面２３ｂ１に対向して配置され、また、周面３１２が係合部２３の周壁部２３ａの内面２３ａ１に対向して配置され、さらに、後面３１３がピニオン８の前面８ｅに対向して配置される。つまり、装着部３１の三面が、ナット２０の内面２３ｂ１，２３ａ１およびピニオン８の前面８ｅに囲われた状態で収容される。特に、装着部３１の前面３１１は、係合部２３の折返し部２３ｂの内側に位置してその内面２３ｂ１に対向して配置されるので、折返し部２３ｂの内面２３ｂ１が、シール部材３０Ｃの抜け止め防止用の壁として機能することとなる。
なお、図２（ｂ）において、装着部３１の前面３１１と折返し部２３ｂの内面２３ｂ１との間には、部品公差を考慮した隙間を形成したものを示したが、この隙間は必ずしも設けなくてもよく、ナット２０の螺合時における当接で、スプール軸９に対するリップ部３３の弾接が損なわれるような変形が生じない範囲で、対向部同士が当接するように構成してもよい。
【００５４】
リップ部３３は、図５（ｂ）に示すように、スプール軸９の軸方向に沿ってリール本体１の内方（後方）へ向けて凹状に湾曲（膨出）している。本実施形態においても、リップ部３３は、スプール軸９の軸線を法線とする面のうち、先端部３３ｂ１の接触点（作用点Ｂ２）を通る面を基準面Ｌ２としたときに、この基準面Ｌ２よりも後側に（リール本体１の内方に）向けて凹状に湾曲する形状とされている。そして、リップ部３３の少なくとも一部の外面（凹面）３３ｂ２が、基準面Ｌ２よりもリール本体１の内方（後方）に位置しており、リール本体１の内方（後方）へ向けて湾曲状に凹んだ形状とされている。
なお、本実施形態では、基準面Ｌ２上に、リップ部３３の支点となる装着部３１とリップ部３３との連結部Ａ４が位置している。つまり、リップ部３３の少なくとも一部の外面（凹面）３３ｂ２が、作用点Ｂ２と連結部Ａ４（支点）とを結ぶ直線（基準面Ｌ２）よりもリール本体１の内方（後方）に位置している。
【００５５】
また、リップ部３３の肉厚ｔ０２は、装着部３１の肉厚ｔ０１よりも、全体的に薄肉に形成されている。
また、リップ部３３は、ピニオン８の前面８ｅとの間に隙間Ｓ４を有して配置されている。これにより、シール部材３０Ｃ（リップ部３３）の追従性が高められている。
特に、スプール軸９はリール本体１の前後方向に往復動する部材であり、かつピニオン８は、スプール軸９周りに回転する部材であるので、これら２つの異なる動作に対してリップ部３３を好適に追従させてスプール軸９に弾接させることができる。
つまり、シール部材３０Ｃは、前記隙間Ｓ４を有する分、柔軟に変形することが可能であり、リップ部３３の有する弾力性を利用しつつ、連結部Ａ４を支点として、先端部３３ｂ１がスプール軸９の周面に弾接可能である。
【００５６】
なお、リップ部３３をピニオン８の前面８ｅに当接させて配置してもよい。このように配置することにより、ピニオン８に対するシール部材３０Ｃの接触面積を大きくすることができ、シール部材３０Ｃの取付安定化を図ることができる。
【００５７】
本実施形態によれば、組付時においてピニオン８にナット２０を螺合すると、ピニオン８の前面８ｅとナット２０の折返し部２３ｂとの間にシール部材３０Ｃの装着部３１が位置し、ナット２０にシール部材３０Ｃが抜け止め保持される。したがって、ピニオン８からシール部材３０Ｃが脱落するのを好適に防止することができ、シール部材３０Ｃの良好な装着状態を得ることができる。これにより、高い防水防塵性能を発揮することができる。
【００５８】
ピニオン８の前側にシール部材３０Ｃを配置するだけでよいので、シール構造が簡単であり、組付性、生産性に優れる魚釣用スピニングリールが得られる。
【００５９】
前記各実施形態では、リップ部３３がリール本体１の内方へ向けて凹状に湾曲しているものを示したが、これに限られることはなく、リール本体１の外方へ向けて凹状（突状）に湾曲形成してもよい。
また、各実施形態において、リップ部３３の先端部３３ｂ１を球状に形成することなく、先細り形状としてもよい。
また、リップ部３３がリール本体１の内方へ向けて凹状に湾曲しているものにおいて、リップ部３３の湾曲形状は、少なくとも一部の外面３３ｂ２が基準面Ｌ２よりもリール本体１の内方に位置していればよく、任意の形状とすることができる。
なお、リップ部３３がリール本体１の外方へ向けて凹状に湾曲しているものにおいて、リップ部３３の湾曲形状は、少なくとも一部の内面（外面３３ｂ２と反対側の面）が基準面Ｌ１（Ｌ２）よりもリール本体１の外方に位置していればよい。
【００６０】
また、前記実施形態では、「膨出」する例として、スプール軸９の軸方向に湾曲する形状のものを示したが、これに限られることはなく、スプール軸９の軸方向に屈曲する形状のもの、スプール軸９の軸方向に部分的に張り出す形状のものであってもよい。
【００６１】
また、前記実施形態では、リップ部３３が１つ設けられたものを示したが、装着部３１に複数のリップ部３３が設けられていてもよい。
【符号の説明】
【００６２】
１      リール本体
２      ロータ
３      スプール
８      ピニオン
９      スプール軸
２０    ナット
２３    係合部
３０，３０Ａ，３０Ｂ，３０Ｃ    シール部材
３１    装着部
３１ａ  鍔部
３３    リップ部
【図１】
2014124173.tif 000003
【図２】
2014124173.tif 000004
【図３】
2014124173.tif 000005
【図４】
2014124173.tif 000006
【図５】
2014124173.tif 000007